(57)【要約】      （修正有）【課題】様々な物を容易に吊下げることが可能であるとともに鞄を背負う者に不快感を与えることもない吊下具を具備した肩ベルトを提供する。【解決手段】表地３と表地３の裏面に貼り合わせた裏地４と表地３と裏地４間に挿装したクッション材を有するベルト本体２と、表地３に形成した貫通孔を貫通した連結部材によって表地３に固着された吊下具６を具備する。吊下具６は、ベース側取付孔が形成された取付ベースと、取付ベースに装着された、カバー側取付孔と係止溝が形成されたカバー材を具備した吊下具本体と、吊下具本体に係止されたナス環を具備し、連結部材は、雄側座部と雄側ピン部を有する雄側連結部材と、雄側ピン部が嵌入する雌側ピン部を有する雌側連結部材を具備し、雌側連結部材を表地３の裏面側に配設した。【選択図】図１
0003167978.tif 000002
【実用新案登録請求の範囲】
【請求項１】
表地（３）と、該表地（３）の裏面に貼り合わせた裏地（４）と、前記表地（３）と裏地（４）間に挿装したクッション材（５）と、を有するベルト本体（２）と、
前記表地（３）に形成した貫通孔（３０４）を貫通した連結部材（１１）によって、前記ベルト本体（２）における前記表地（３）に固着された吊下具（６）と、を具備し、
前記吊下具（６）は、
ベース側取付孔（８０１）が形成された取付ベース（８）と、
該取付ベース（８）に装着された、前記ベース側取付孔（８０１）に連通するカバー側取付孔（９０１）と、係止溝（９０２）と、が形成されたカバー材（９）と、を具備する吊下具本体（７）と、
リング状の取付部（１００１）を有して、該取付部（１００１）を前記係止溝（９０２）に係止することで、前記吊下具本体（７）に係止された、小物吊下げ用のナス環（１０）と、を具備し、
前記連結部材（１１）は、
雄側座部（１２０１）と該雄側座部（１２０１）に立設した雄側ピン部（１２０２）を有する雄側連結部材（１２）と、雌側座部（１３０１）と、該雌側座部（１３０１）に立設した、前記雄側連結部材（１２）の雄側ピン部（１２０２）が嵌入可能な嵌入孔（１３０３）を有する雌側ピン部（１３０２）を有する雌側連結部材（１３）を具備して、
前記雄側連結部材（１２）又は雌側連結部材（１３）を、雄側ピン部（１２０２）又は雌側ピン部（１３０２）で前記表地（３）の貫通孔（３０４）を貫通させつつ前記表地（３）の裏面側に配設し、
前記雌側連結部材（１３）又は雄側連結部材（１２）を、雄側ピン部（１２０２）を前記雌側ピン部（１３０２）に嵌入させつつ、前記吊下具本体（７）の表面側に配設した、ことを特徴とする背負い鞄の肩ベルト。
【請求項２】
前記カバー材（９）を取付ベース（８）に着脱自在にしたことを特徴とする請求項１に記載の背負い鞄の肩ベルト。
【請求項３】
前記取付ベース（８）は、前記ナス環（１０）の上端部が嵌合する一対の嵌合壁（８０２）を有することを特徴とする請求項１又は請求項２に記載の背負い鞄の肩ベルト。
【考案の詳細な説明】
【技術分野】
【０００１】
本考案は、背負い鞄の肩ベルトに係り、より詳しくは、様々な物を容易に吊下げることが可能であるとともに、鞄を背負う者に不快感を与えることもない吊下具を具備した背負い鞄の肩ベルトに関する。
【背景技術】
【０００２】
従来から、ランドセル等に代表されるスクールバッグでは、大マチにナス環を装着して、このナス環に、防犯のための防犯ブザーや、キーホルダー、マスコット等の小物を吊下げることが行われていた。
【０００３】
しかし、ランドセルの大マチに装着したなす環は本来、給食袋や上履き入れ等を吊り下げるべきものであるため、このなす環にキーホルダーやマスコットを吊り下げた場合には、本来吊り下げるべき給食袋等を吊り下げる空間が少なくなってしまうという問題点ある。
【０００４】
そこで、最近になり、吊下具を肩ベルトに装着して、この吊下具によって、防犯ブザーや、キーホルダー、マスコット等の小物を肩ベルトに吊すことが行われており、これによって、給食袋等を吊り下げる空間を使用することなく、防犯ブザー、キーホルダー、マスコット等をランドセル等に吊り下げることが可能となった。
【０００５】
そして、この肩ベルトに吊下具を装着する方法として従来は、輪環を遊嵌した吊下具を連結鋲で肩ベルトに固着する方法や、リベットによって肩ベルトに掛け具を装着し、この掛け具にナス環を取り付ける方法が提案されている。
【先行技術文献】
【特許文献】
【０００６】
【特許文献１】特開２００８−９３０２８号公報
【特許文献２】特開２００６−６７１３号公報
【特許文献３】実用新案登録第３１１３２９６号公報
【特許文献４】実用新案登録第３１４１３８２号公報
【考案の概要】
【考案が解決しようとする課題】
【０００７】
しかしながら、特許文献４のように、単に輪環を遊嵌した吊下具を連結鋲で肩ベルトに固着した場合には、吊り下げる物が限定されてしまうという問題点が指摘できる。
【０００８】
即ち、輪環は無端のリング状であるため、輪環を遊嵌した場合には、同じく無端のリング状の小物では、互いに連結することができずに吊下げることが不可能であり、従って、この場合には、吊下げる物が限定されてしまうという問題点がある。
【０００９】
この点、前記特許文献１〜３に示されるように、肩ベルトに掛け具を装着してこの掛け具にナス環を装着した場合には、吊下げる物が限定されず、いずれの物でも吊下げることができるという利点がある。
【００１０】
しかし、前記特許文献１〜３に示される方法では、リベットを用いて吊下げ具を肩ベルトに固定するとともに、このリベットは、肩ベルトを構成する表地、クッション材及び裏地のすべてを裏地側から貫通しているため、リベットの頭が肩ベルトの裏側に出てしまい、鞄を背負った場合に、リベットの頭によって背負った者に不快感を与えてしまうという問題点が指摘されている。
【００１１】
そこで、本考案は、様々な物を容易に吊下げることが可能であるとともに、鞄を背負う者に不快感を与えることもない吊下具を具備した背負い鞄の肩ベルトを提供することを課題としている。
【課題を解決するための手段】
【００１２】
本考案の背負い鞄の肩ベルトは、
表地と、該表地の裏面に貼り合わせた裏地と、前記表地と裏地間に挿装したスポンジ等のクッション材と、を有するベルト本体と、
前記表地に形成した貫通孔を貫通した連結部材によって、前記ベルト本体における前記表地に固着された吊下具と、を具備し
前記吊下具は、
ベース側取付孔が形成された取付ベースと、
該取付ベースに装着された、前記ベース側取付孔に連通するカバー側取付孔と、係止溝と、が形成されたカバー材と、を具備する吊下具本体と、
リング状の取付部を有して、該取付部を前記係止溝に係止することで、前記吊下具本体に係止された、小物吊下げ用のナス環と、を有して、
前記連結部材は、
雄側座部と該雄側座部に立設した雄側ピン部を有する雄側連結部材と、雌側座部と、該雌側座部に立設した、前記雄側部材の雄側ピン部が嵌入可能な嵌入孔を有する雌側ピン部を有する雌側連結部材を具備して、
前記雄側連結部材又は雌側連結部材を、雄側ピン部又は雌側ピン部で前記表地の貫通孔を貫通させつつ前記表地の裏面側に配設し、
前記雌側連結部材又は雄側連結部材を、雄側ピン部を前記雌側ピン部に嵌入させつつ、前記吊下具本体の表面側に配設した、ことを特徴としている。
【考案の効果】
【００１３】
本考案の背負い鞄の肩ベルトでは、表地と、この表地の裏面に貼り合わせた裏地と、表地と裏地間に挿装したスポンジ等のクッション材を有するベルト本体と、このベルト本体に固着された吊下具とを有するとともに、吊下具は、取付ベースとカバー材で構成される吊下具本体に小物吊下げ用のナス環を係止して構成されている。
【００１４】
そのために、単に輪環を遊嵌した吊下具を連結鋲で肩ベルトに固着した場合と異なり、吊り下げる物が限定されてしまうことを防止可能である。
【００１５】
また、本考案の背負い鞄の肩ベルトでは、表地に形成した貫通孔を貫通した連結部材によって、ベルト本体における表地に吊下具を固着しており、従って、連結部材が肩ベルトの裏側に出てしまうことがなく、肩ベルトの裏面をフラットな状態を維持できるために、鞄を背負った際に、背負った者に不快感を与えてしまうことが無いという利点がある。
【図面の簡単な説明】
【００１６】
【図１】本考案の肩ベルトの実施例を正面側から示した図である。
【図２】本考案の肩ベルトの実施例における吊下具の正面図である。
【図３】本考案の肩ベルトの実施例における吊下具の斜視図である。
【図４】本考案の肩ベルトの実施例における吊下具を説明するための斜視図である。
【図５】本考案の肩ベルトの実施例における吊下具を説明するための斜視図である。
【図６】本考案の肩ベルトの実施例における吊下具を説明するための斜視図である。
【図７】本考案の肩ベルトの実施例におけるナス環を示す斜視図である。
【図８】本考案の肩ベルトの実施例における連結部材を説明するための斜視図である。
【図９】図１におけるＡ−Ａ線断面図であり、本考案の肩ベルトの実施例における吊下具の取り付け構造を説明するための図である。
【考案を実施するための形態】
【００１７】
本考案の背負い鞄の肩ベルトでは、表地と裏地と互いにを貼りあわせるとともに、表地と裏地の間における任意の箇所にスポンジ等のクッション材を挿装し、これによりベルト本体を構成している。
【００１８】
そして、このベルト本体には吊下具が固着されており、この吊下具は、表地に形成した貫通孔を貫通した連結部材によって、ベルト本体における表地に固着されている。
【００１９】
また、吊下具は、吊下具本体と、小物吊下げ用のナス環とを具備しており、吊下具本体は、取付ベースとカバー材とを具備している。
【００２０】
そして、取付ベースには、ベース側取付孔が形成され、カバー材には、ベース側取付孔に連通するカバー側取付孔が形成され、カバー材は、取付ベースに装着されている。
【００２１】
また、カバー材には係止溝が形成されており、前記ナス環は、リング状の取付部を有しており、この取付部を係止溝に係止することで、ナス環は、吊下具本体に係止されている。
【００２２】
一方、連結部材は、雄側連結部材と雌側連結部材とからなり、雄側連結部材は、雄側座部とこの雄側座部に立設した雄側ピン部を有し、雌側連結部材は、雌側座部と、この雌側座部に立設した雌側ピン部を有しており、雌側ピン部は、雄側部材の雄側ピン部が嵌入可能な嵌入孔を有している。
【００２３】
そして、この連結部材は、雄側連結部材又は雌側連結部材を、雄側ピン部又は雌側ピン部でベルト本体の表地の貫通孔を貫通させつつ、表地の裏面側に配設して、一方、雌側連結部材又は雄側連結部材を、雄側ピン部を雌側ピン部に嵌入させつつ、吊下具本体の表面側に配設している。
【実施例１】
【００２４】
本実施例の本考案の背負い鞄の肩ベルト（以下単に「肩ベルト」という。）の実施例について図面を参照して説明すると、図１は本実施例の肩ベルトを正面側から示す図であり、また、図１におけるＡ−Ａ線断面構造を示した図が図９であり、図において１が本実施例の肩ベルトである。
【００２５】
そして、本実施例の肩ベルト１は、一般的な肩ベルトと同様に、表地３と、この表地３の裏面に貼り合わせた裏地４を有するとともに、表地３と裏地４の間における上方部分近傍にはスポンジ等のクッション材５が挿装されており、この構成により、ベルト本体２が形成されている。
【００２６】
即ち、前記表地３は、正面視野において幅広にするとともに僅かに変形させた形状の細長としており、約上半分部分を構成する本体部３０１と、この本体部３０１の下端部分に連設された、背負い鞄の下ベルトに連結される連結部３０２とを有している。
【００２７】
そして、この表地３の裏面には、表地３とほぼ同一の形状寸法とした裏地４が縫製により縫いつけられており、表地３の本体部３０１における上端部近傍部分と下端部近傍部分を除いた部分と、裏地４との間には、スポンジ等のクッション材５が介在されている。
【００２８】
なお、図において１４は、肩ベルト１の上端を背負い鞄に連結させるために用いる連結部であり、具体的には、背負い鞄の上端に装着した背環に連結される連結部である。また、図において３０３は、肩ベルト１を背負い鞄に連結する際に用いるベルト孔、更に、図において１５は、表地３と裏地４とを連結しているビスである。
【００２９】
次に、図において６は吊下具である。即ち、本実施例の肩ベルト１では、前記ベルト本体２に吊下具６を固着しており、この吊下具６は、前記表地３に形成した貫通孔３０４を貫通した連結部材１１によって、前記ベルト本体２における前記表地３に固着されている。
【００３０】
ここで、前記吊下具６について説明すると、図２は前記吊下具６の正面図であり、また、図３は前記吊下具６の斜視図であり、図において前記吊下具６は、吊下具本体７と、この吊下具本体７に係止されたナス環１０とで構成され、吊下具本体７は、前記ベルト本体２に装着される取付ベースを有している。
【００３１】
即ち、図４が前記取付ベースを示す斜視図であり、図において８が、取付ベースである。そして、本実施例において前記取付ベース８は、平板状であるとともに背面側をフラットにして、この背面側をベルト本体２の表地３に固着することとしている。
【００３２】
また、本実施例において前記取付ベース８は、ベース側取付孔８０１を有しているとともに、ベルト本体２に固着される面と反対側の面には、一対の嵌合壁８０２が、上下方向に隣り合わせの配置で、立設されている。
【００３３】
そして、前記取付ベース８における前記嵌合壁８０２側には、嵌合壁８０２を覆い隠す配置で、着脱自在にして、カバー材９が連結されている。
【００３４】
ここで、前記カバー材９について説明すると、図５及び図６は前記カバー材を示す斜視図であり、図５は正面側を示し、図６は内面側を示しており、図において９がカバー材である。そして、本実施例において前記カバー材９は、カバー側取付孔９０１を有しており、このカバー側取付孔９０１は、カバー材９を前記取付ベース８に連結した際において、前記ベース側取付孔８０１に連通する配置で形成されている。
【００３５】
また、本実施例において前記カバー材９には係止溝が形成されている。即ち、図において９０２が係止溝であり、この係止溝９０２は、前記カバー材９の左右の側壁部分のそれぞれに、対向する配置で形成されており、前記取付ベース８とカバー９とで、吊下具本体７が構成されている。
【００３６】
なお、図において８０３は、前記カバー材９を前記取付ベース８に連結した際に、前記係止溝９０２に対向する箇所に形成したベース側係止溝である。
【００３７】
そして、このように構成される吊下具本体７には、小物吊り下げ用のナス環が係止されており、これにより、吊下具６が構成されている。
【００３８】
ここで、前記ナス環について説明すると、図７は前記ナス環を示す斜視図であり、図において１０がナス環である。
【００３９】
そして、本実施例においてこのナス環は、一般的にランドセル等のスクールバッグの大マチ部に吊り下げるナス環を小型にした物で、リング状の取付部１００１が上端に形成されており、この取付部１００１の下方には、前記取付部１００１よりも大きいリング状としたフック部１００２が連設され、更に、このフック部１００２の下端には、側面形状を略Ｌ字状又は略反Ｌ字状とした引っ掛け部１００３が、先端部を上方にした配置で連設されている。
【００４０】
また、前記フック部１００２の上部にはブロック状とした支持部１００４が連設されており、この支持部１００４には押え部材１００５が回動自在に支持されており、この押え部材１００５は、その先端が前記引っ掛け部１００３の先端部内面に当接する配置で、支持部１００４内に配設したバネ等の弾性手段（図示せず）により、前記引っ掛け部１００３の先端部内面側に付勢されている。
【００４１】
従ってこれにより、弾性手段の付勢力に対抗して押え部材１００５を押し込むことで、押え部材１００５と引っ掛け部１００３の先端部内面間に隙間を作ってこの隙間を介して引っ掛け部１００３に小物を引っ掛けることができ、押え部材１００５の押し込みを解除することで、押え部材１００５の先端を再び前記引っ掛け部１００３の先端部内面に当接させることができる。
【００４２】
そして、このように構成される前記ナス環１０は、前記取付部１００１の上部が前記取付ベース８の一対の嵌合壁８０２間に装挿されつつ、前記カバー材９に形成された係止溝９０２に係止されており、これにより、前記ナス環１０が、前記吊下具本体７に係止されている。
【００４３】
そのため、本実施例の肩ベルト１では、単に輪環を遊嵌した吊下具を連結鋲で肩ベルトに固着した従来の肩ベルトと異なり、吊り下げる物が限定されてしまうことを防止可能である。
【００４４】
次に、このように構成される本実施例における吊下具６の取付方法について説明すると、本実施例において前記吊下具６は、連結部材１１によって、前記ベルト本体２における表地３に係止されている。
【００４５】
ここで、図８は、前記連結部材１１を説明するための分解図であり、また、図９は、前述したように、図１におけるＡ−Ａ線断面図、即ち、前記吊下具６をベルト本体２の表地３に固着した状態を示す断面図であり、図において、連結部材１１は、表地３の裏面に配設される雌側連結部材１３と、ベルト本体２の表側に配設されつつ、前記雌側連結部材１３に連結される雄側連結部材１２とで構成されている。
【００４６】
そして、雄側連結部材１２は、雄側座部１２０１と、この雄側座部１２０１に立設した雄側ピン部１２０２を有しており、雄側ピン１２０２が、前記カバー材９に形成したカバー側取付孔９０１と前記取付ベース８に形成したベース側取付孔８０１を貫通しつつ、ベルト本体２に形成した貫通孔３０４を貫通する配置で、前記カバー材９の表面側に配設されている。
【００４７】
一方、雌側連結部材１３は、雌側座部１３０１と、この雌側座部１３０１に立設した雌側ピン部１３０２を有しており、この雌側ピン部１３０２は、軸方向に向けて、前記雄側部材１２の雄側ピン部１２０２が嵌入される嵌入孔１３０３が形成されている。
【００４８】
そして、前記雌側連結部材１３は、雌側ピン１３０２が、ベルト本体２に形成した貫通孔３０４を貫通しつつ、前記表地３の裏面に配設されるとともに、雌側ピン部１３０２に形成した嵌入孔１３０３内に前記雄側ピン部１２０２が嵌入しており、これにより、吊下具６は、連結部材１１に支持されつつ、前記表地３に係止されている。即ち、前記取付ベース８とカバー材９とは、ナス環１０を係止した状態で、連結部材１１によって連結されており、及び、取付ベース８、カバー材９及びナス環１０で構成される吊下具６は、連結部材１１によって表地３に固着されている。
【００４９】
そのため、本実施例の肩ベルトでは、吊下具６がベルト本体２の裏面に出てしまうことが無く、従って、鞄を背負った者に不快感を与えることが無い。
【００５０】
このように、本実施例の肩ベルト１では、前記表地３に形成した貫通孔３０４を貫通した連結部材１１によって、前記ベルト本体２に吊下具６を固着するとともに、この吊下具６は、小物吊り下用のナス環１０を有しているために、単に輪環を遊嵌した吊下具を連結鋲で肩ベルトに固着した従来の肩ベルトと異なり、吊り下げる物が限定されてしまうことを防止可能である。
【００５１】
また、本考案の肩ベルト１では、表地３に形成した貫通孔３０４を貫通した連結部材１１によって、ベルト本体２における表地３に吊下具６を固着しており、従って、連結部材１１が肩ベルト本体２の裏側に出てしまうことがなく、肩ベルト本体２の裏面をフラットな状態を維持できるため、鞄を背負った際に、背負った者に不快感を与えてしまうことを防止できる。
【産業上の利用可能性】
【００５２】
本考案の背負い鞄の肩ベルトは、小物吊り下げ用のナス環を係止した吊下具本体を肩ベルトの表地に固着しており、これにより、鞄を背負った者に不快感を与えることなく、様々な小物を吊下可能としているため、吊下具を備えた肩ベルトの全般に適用可能である。
【符号の説明】
【００５３】
１    肩ベルト
２    ベルト本体
３    表地
３０１    表地の本体部
３０２    表地の連結部
３０３    ベルト孔
３０４    貫通孔
４    裏地
５    クッション材（スポンジ）
６    吊下具
７    吊下具本体
８    取付ベース
８０１    ベース側取付孔
８０２    嵌入壁
８０３    ベース側係止溝
９    カバー材
９０１    カバー側取付孔
９０２    係止溝
１０    ナス環
１００１    取付部
１００２    フック部
１００３    引っ掛け部
１００４    支持部
１００５    押え部材
１１    連結部材
１２    雄側連結部材
１２０１    雄側座部
１２０２    雄側ピン部
１３    雌側連結部材
１３０１    雌側座部
１３０２    雌側ピン部
１３０３    嵌入孔
１４    連結部
１５    ビス
【図１】
0003167978.tif 000003
【図２】
0003167978.tif 000004
【図３】
0003167978.tif 000005
【図４】
0003167978.tif 000006
【図５】
0003167978.tif 000007
【図６】
0003167978.tif 000008
【図７】
0003167978.tif 000009
【図８】
0003167978.tif 000010
【図９】
0003167978.tif 000011